(57)【要約】【課題】毛材が脱落することが無く、かつ、毛材を容易に交換することができるカップブラシを提供する。【解決手段】被加工面のバリ取り、研磨、研削、洗浄、鏡面仕上げに使用するカップブラシにおいて、前記カップブラシは台座、及びチャンネルブラシより構成されてあり、前記台座には溝部が形成されてあり、前記チャンネルブラシは芯線、ブラシ片、及び帯状体より構成されてあると共に、前記チャンネルブラシが前記台座の溝部にたいして、着脱可能に装着されてあるものである。【選択図】        図１
2005007120.tif 000002
【特許請求の範囲】
【請求項１】
被加工面のバリ取り、研磨、研削、洗浄、鏡面仕上げに使用するカップブラシにおいて、前記カップブラシは台座、及びチャンネルブラシより構成されてあり、前記台座には溝部が形成されてあり、前記チャンネルブラシは芯線、ブラシ片、及び帯状体より構成されてあると共に、前記チャンネルブラシが前記台座の溝部にたいして、着脱可能に装着されてあることを特徴とするカップブラシ。
【請求項２】
請求項１記載の構成よりなるカップブラシにおいて、前記台座が概リング状の平板形状に形成されてあると共に、前記溝部が前記台座の外周方向に向かって概放射状に形成されるように、樹脂一体成型により形成されてあることを特徴とするカップブラシ。
【請求項３】
請求項１あるいは２記載の構成よりなるカップブラシにおいて、前記溝部、及び前記チャンネルブラシが、長手方向にたいして湾曲するように形成されてあることを特徴とするカップブラシ。
【発明の詳細な説明】
【０００１】
【発明の属する技術分野】
本発明は、被加工面のバリ取り、研磨、研削、洗浄、鏡面仕上げ等に使用するカップブラシに関するものである。
【０００２】
【従来の技術】
従来の被加工面のバリ取り、研磨、研削、洗浄、鏡面仕上げ等に使用するカップブラシに関しては、様々な改良がなされ、例えば、特開２００２−４５２３５号の如く、一定長に切断された多数の毛材が平形リング状に配列された毛材ブロックと、リング状の樹脂基盤とからなり、樹脂基盤が、前記毛材の基端部が埋没された植毛部と、植毛部に連なる繊維強化部と、下面の、円周方向で等間隔に設けられた、研磨機取付台座と連結するための、複数個の突起部とで構成されていることを特徴とする平形カップブラシが、開示されてある。
【０００３】
【発明が解決しようとする課題】
従来の平形カップブラシにおいては、上記の如く、樹脂基盤は、植毛部、繊維強化部、及び突起部からなり、前記植毛部は、それぞれの毛材の基端部を所定長さだけ埋没させて形成されてある。つまり、特開２００２−４５２３５号の平形カップブラシにおいては、毛材が、樹脂基盤にたいして、一体的に固着されて形成されてある。しかしながら、上記の如くの方法を実施した場合であっても、毛材が、植毛部から剥離して脱落するという課題を、有していた。また、毛材が、樹脂基盤にたいして、一体的に固着されて形成されてある為、毛材を交換することができないという課題も、有していた。その為、毛材が脱落することが無く、かつ、毛材を容易に交換することができるカップブラシが求められていた。
【０００４】
【課題を解決するための手段】
本発明は、次のように構成したものである。
（１）被加工面のバリ取り、研磨、研削、洗浄、鏡面仕上げに使用するカップブラシにおいて、前記カップブラシは台座、及びチャンネルブラシより構成されてあり、前記台座には溝部が形成されてあり、前記チャンネルブラシは芯線、ブラシ片、及び帯状体より構成されてあると共に、前記チャンネルブラシが前記台座の溝部にたいして、着脱可能に装着されてあるものである。
【０００５】
（２）上記（１）記載の構成よりなるカップブラシにおいて、前記台座が概リング状の平板形状に形成されてあると共に、前記溝部が前記台座の外周方向に向かって概放射状に形成されるように、樹脂一体成型により形成されてあるものである。
【０００６】
（３）上記（１）あるいは（２）記載の構成よりなるカップブラシにおいて、前記溝部、及び前記チャンネルブラシが、長手方向にたいして湾曲するように形成されてあるものである。
【０００７】
【発明の実施の形態】
実施の形態１
図１から図３に実施の形態１を示す。図１は、本発明の実施の形態１のカップブラシを前面側から見た斜視図である。図１において、１はカップブラシ、２は台座、３はチャンネルブラシ、４は溝部、５は芯線、６はブラシ片、７は帯状体、８は上面、９は下面、１０は爪部である。図２は、図１に使用する台座の平面図である。図２において、５１は幅である。図３は、図２の台座のＡ−Ａ断面図である。図３において、５２は幅である。
【０００８】
本発明のカップブラシ１は、図１の如く、台座２、及びチャンネルブラシ３より形成されてある。台座２は、概円筒形状に形成されてあり、上面８には、複数の溝部４が、形成されてある。また、チャンネルブラシ３は、芯線５、ブラシ片６、及び帯状体７より形成されてあり、ブラシ片６を中央部から折り込んで、芯線５及び帯状体７にて、挟み付けるようにして形成されてあり、帯状体７は、溝部４の断面形状に沿うように、断面が概コの字形状に形成されてある。溝部４の両端には、図２の如く、爪部１０が形成されてあり、帯状体７を、溝部４に差し込む事により、台座２の上面８に、複数のチャンネルブラシ３が形成される。差し込まれたチャンネルブラシ３は、両端に形成された爪部１０により、着脱可能に固定される。また、台座２は、図３の如く、幅５１が幅５２よりも狭くなるように溝部４が形成されてある。
【０００９】
本発明の実施の形態１のカップブラシ１は、上記の如くの構成となっているので、台座２にたいして、チャンネルブラシ３を、差し込むことにより、容易に、装着できる。また、爪部１０により、台座２にたいして、チャンネルブラシ３を、確実に固定することができると共に、溝部４から抜け落ちる事を防止できる。また、台座２は、幅５１が幅５２よりも狭くなるように、溝部４が形成されてある為、チャンネルブラシ３が溝部４から、はずれることがない。さらにまた、溝部４に差し込まれたチャンネルブラシ３を交換する場合には、帯状体７が爪部１０を乗り超えるように、チャンネルブラシ３を、溝部４に沿ってスライドさせることにより、容易にチャンネルブラシ３を、脱着させて、交換することができる。
【００１０】
本発明の実施の形態１のカップブラシ１は、上記の如くの構成と、なっているが、カップブラシ１の工具、器具等への取付方法については、例えば、下面９に取付の為の凸部、あるいは凹部を形成したり、例えば、下面９の中心部にネジ部を形成する等、使用する目的に応じて、適時、設定できる。また、台座２にたいするチャンネルブラシ３の装着方法についても、爪部１０を使用する上記の方法以外にも、例えば、台座２の外周部に勘合するように、概円筒形状の止めリング等を装着させる方法を採用しても、何ら、支障は無い。さらにまた、ブラシ片６の材質についても、被加工面のバリ取り、研磨、研削、洗浄、鏡面仕上げ等、使用目的に応じて、例えば、各種鋼線、樹脂、織布、不織布、合成樹脂発泡体、繊維等、適時、設定しても、何ら、支障は無い。
【００１１】
実施の形態２
図４及び図５に、実施の形態２を示す。図４は、本発明の実施の形態２のカップブラシを前面側から見た斜視図である。図４において、１１はカップブラシ、１２は台座、１３はチャンネルブラシ、１４は溝部、１５は芯線、１６はブラシ片、１７は帯状体、１８は上面、１９は下面、２０は爪部である。図５は、図４の台座のＢ−Ｂ断面図である。図５において、６１、６２は幅である。
【００１２】
本発明のカップブラシ１１は、図４の如く、台座１２、及びチャンネルブラシ１３より形成されてある。台座１２は、概リング状の平板形状に形成されてあると共に、台座１２の上面１８には、溝部１４が、台座１２の外周方向に向かって概放射状に形成されてある。また、台座１２は、樹脂一体成型により形成されてある。使用できる材質は、樹脂一体成型が可能な材質であるならば、いかなる材質を使用しても良いが、軟質ポリエチレン樹脂、ポリ塩化ビニル樹脂、ＡＢＳ樹脂等が、より好適である。また、チャンネルブラシ１３は、芯線１５、ブラシ片１６、及び帯状体１７より形成されてあり、ブラシ片１６を中央部から折り込んで、芯線１５及び帯状体１７にて、挟み付けるようにして形成されてあり、帯状体１７は、溝部１４の断面形状に沿うように、断面が概コの字形状に形成されてある。溝部１４の両端には、図５の如く、爪部２０が形成されてあり、帯状体１７を、溝部１４に差し込む事により、台座１２の上面１８に、台座１２の外周方向に向かって概放射状に、複数のチャンネルブラシ１３が形成される。差し込まれたチャンネルブラシ１３は、両端に形成された爪部２０により、着脱可能に固定される。また、台座１２は、図５の如く、幅６１が幅６２よりも狭くなるように溝部１４が形成されてある。
【００１３】
本発明の実施の形態２のカップブラシ１１は、上記の如くの構成となっているので、台座１２を回転させて使用することにより、台座１２の外周方向に向かって概放射状に形成された複数のチャンネルブラシ１３が、被加工面のバリ取り、研磨、研削、洗浄、鏡面仕上げ等を、迅速、かつ、強力に実施する事ができる。また、台座１２は、樹脂一体成型により形成されてある為、台座１２を迅速、軽量、かつ、安価に製作することができる。
【００１４】
本発明の実施の形態２のカップブラシ１１は、上記の如くの構成となっているが、爪部２０の詳細形状については、台座１２の溝部１４にたいして、チャンネルブラシ１３を、差し込む時に、爪部２０を乗り越えやすいように、例えば、傾斜面を有する概山型に形成する等、使用する目的に応じて、適時、設定しても、何ら支障は無い。
【００１５】
実施の形態３
図６及び図７に、実施の形態３を示す。図６は、本発明の実施の形態３のカップブラシを前面側から見た斜視図である。図６において、２１はカップブラシ、２２は台座、２３はチャンネルブラシ、２４は溝部、２５は芯線、２６はブラシ片、２７は帯状体、２８は上面、２９は下面、３０は爪部、５３は湾曲部である。図７は、図６に使用する台座の平面図である。
【００１６】
本発明のカップブラシ２１は、図６の如く、台座２２、及びチャンネルブラシ２３より形成されてある。チャンネルブラシ２３は、台座２２の上面２８に、台座２２の外周方向に向かって、概Ｒ湾曲形状を有して、概放射状に形成されてある。台座２２は、概リング状の平板形状に形成されてあり、図７の如く、上面２８には、溝部２４が、台座２２の外周方向に向かって、概Ｒ形状の湾曲部５３を有して、概放射状に形成されてある。チャンネルブラシ２３は、芯線２５、ブラシ片２６、及び帯状体２７より形成されてあり、ブラシ片２６を中央部から折り込んで、芯線２５、及び帯状体２７にて、挟み付けるようにして形成されてある。また、帯状体２７は、溝部２４の断面形状に沿うように断面が概コの字形状に形成されてあると共に、概Ｒ形状の湾曲部５３の形状に沿うように、概Ｒ湾曲形状に形成されてある。また、溝部２４の両端には、図７の如く、爪部３０が形成されてあり、帯状体２７を、溝部２４に差し込む事により、チャンネルブラシ２３は、爪部３０により固定される。また、チャンネルブラシ２３を交換する場合には、帯状体２７が爪部３０を乗り超えるように、チャンネルブラシ２３を、溝部２４に沿ってスライドさせることにより、脱着させる。また、帯状体２７の材質として、例えば、鋼板、アルミ板等の硬質の材質を使用する場合には、前記の如く、チャンネルブラシ２３は、帯状体２７を、概Ｒ形状の湾曲部５３の形状に沿うような、概Ｒ湾曲形状に形成した後、溝部２４に差し込んで形成されるが、帯状体２７の材質として、例えば、樹脂板、ゴム板、樹脂発泡材を使用した板、各種布材等の軟質の材質を使用する場合には、チャンネルブラシ２３は、ブラシ片２６を中央部から折り込んで、芯線２５及び帯状体２７にて、挟み付けるようにして形成した後、溝部２４に差し込むことにより、溝部２４の概Ｒ形状の湾曲部５３の形状に沿うような、概Ｒ湾曲形状に形成される。
【００１７】
本発明の実施の形態３のカップブラシ２１は、上記の如くの構成となっているので、台座２２の上面２８に、チャンネルブラシ２３が、台座２２の外周方向に向かって概Ｒ湾曲形状を有して、概放射状に形成されてある。その為、台座２２を回転させて使用することにより、台座２２の外周方向に向かって概Ｒ湾曲形状を有して、概放射状に形成された複数のチャンネルブラシ２３の概Ｒ湾曲形状部が、被加工面にたいして、適切かつ円滑に当接することにより、被加工面のバリ取り、研磨、研削、洗浄、鏡面仕上げ等を、迅速、かつ、強力に実施することができる。
【００１８】
本発明の実施の形態３のカップブラシ２１は、上記の如くの構成となっているが、概Ｒ形状の湾曲部５３の詳細形状については、前記の如くの形状以外にも、使用する目的に応じて、例えば、概Ｓ字形状、概Ｎ字形状、概Ｍ字形状、概Ｖ字形状等、適時、設定しても、何ら支障は無い。
【００１９】
【発明の効果】
以上の説明から明らかなように、本発明のカップブラシは、次に示すような効果を得ることができる。なお、説明にあたっては、請求項の番号と同じ番号を付して説明する。
【００２０】
（１）台座にたいして、チャンネルブラシを、差し込むことにより容易に、装着できる。また、爪部により、台座にたいして、チャンネルブラシを、確実に固定することができると共に、溝部から抜け落ちる事を防止できる。また、台座は、上部の幅が下部の幅よりも狭くなるように溝部が形成されてある為、チャンネルブラシが溝部から、はずれることがない。さらにまた、溝部に差し込まれたチャンネルブラシを交換する場合には、帯状体が爪部を乗り超えるように、チャンネルブラシを、溝部に沿ってスライドさせることにより、容易にチャンネルブラシを、脱着させて、交換することができる。
【００２１】
（２）台座を回転させて使用することにより、台座の外周方向に向かって、概放射状に形成された複数のチャンネルブラシが、被加工面のバリ取り、研磨、研削、洗浄、鏡面仕上げ等を、迅速、かつ、強力に実施することができる。また、台座は、樹脂一体成型により形成されてある為、台座を迅速、軽量、かつ、安価に製作することができる。
【００２２】
（３）台座の上面に、チャンネルブラシが、台座の外周方向に向かって概Ｒ湾曲形状を有して、概放射状に形成されてある。その為、台座を回転させて使用することにより、台座の外周方向に向かって概Ｒ湾曲形状を有して、概放射状に形成された複数のチャンネルブラシの概Ｒ湾曲形状部が、被加工面にたいして、適切かつ円滑に当接することにより、被加工面のバリ取り、研磨、研削、洗浄、鏡面仕上げ等を、迅速、かつ、強力に実施することができる。
【図面の簡単な説明】
【図１】本発明の実施の形態１のカップブラシを前面側から見た斜視図である。
【図２】図１に使用する台座の平面図である。
【図３】図２の台座のＡ−Ａ断面図である。
【図４】本発明の実施の形態２のカップブラシを前面側から見た斜視図である。
【図５】図４の台座のＢ−Ｂ断面図である。
【図６】本発明の実施の形態３のカップブラシを前面側から見た斜視図である。
【図７】図６に使用する台座の平面図である。
【符号の説明】
１、１１、２１  カップブラシ  ２、１２、２２  台座
３、１３、２３  チャンネルブラシ  ４、１４、２４  溝部
５、１５、２５  芯線  ６、１６、２６  ブラシ片
７、１７、２７  帯状体  ８、１８、２８  上面
９、１９、２９  下面  １０、２０、３０  爪部
５１、５２、６１、６２  幅  ５３  湾曲部
【図１】
2005007120.tif 000003
【図２】
2005007120.tif 000004
【図３】
2005007120.tif 000005
【図４】
2005007120.tif 000006
【図５】
2005007120.tif 000007
【図６】
2005007120.tif 000008
【図７】
2005007120.tif 000009